(57)【要約】【課題】処理部に入力されるアナログ映像音声信号にコピー不許可の情報が付加されている場合に、「コピー不許可」という番組供給者の意図を反映し、かつ上記時間差再生を行うこと。【解決手段】コピー制御情報が付加されたアナログ映像信号ＳＶｉｎが入力される処理部１０に、コピー不許可の情報を持つコピー制御情報が入力された場合に、蓄積部１５へのデータの蓄積の開始を指示する手段と、蓄積の終了の前に蓄積部１５に蓄積された映像データの再生の開始を指示する手段とを有する制御部３３が設けられている。蓄積部１５は、蓄積部の再生された映像データを再生直後に蓄積部から消去する手段と、蓄積の終了の前に再生が開始されなかった場合及び蓄積の終了時に映像データの再生が行われていない場合に、蓄積部の映像データを消去する手段とを有している。【選択図】        図１
2004214711.tif 000002
【特許請求の範囲】
【請求項１】
アナログ映像データとこの映像データのコピーを制御するための付加情報とを含むデータが入力され、このデータを処理する処理部を備えたデータ記録再生装置であって、
前記処理部は、入力された映像データを蓄積することが可能な蓄積部を有すると共に、コピー不許可の情報を持つ付加情報が入力された場合に、前記蓄積部への前記映像データの蓄積の開始を指示する手段と、前記蓄積の終了の前に前記蓄積部に蓄積された映像データの再生の開始を指示する手段と、前記蓄積の終了の情報が入力された直後に前記蓄積部の映像データを消去する手段とを有することを特徴とするデータ記録再生装置。
【請求項２】
前記蓄積部の映像データを消去する手段は、前記蓄積部の再生された映像データを再生直後に前記蓄積部から消去する手段と、前記蓄積の終了の前に再生が開始されなかった場合及び前記蓄積の終了時に映像データの再生が行われていない場合に、前記蓄積部の映像データを消去する手段とを含むことを特徴とする請求項1記載のデータ記録再生装置。
【請求項３】
アナログ映像データとこの映像データのコピーを制御するための付加情報とを含むデータが入力され、このデータを処理する処理部を備えたデータ記録再生装置であって、
前記処理部は、入力された映像データを蓄積することが可能な蓄積部を有すると共に、前記付加情報の内容とは無関係に前記蓄積部への前記映像データの蓄積の開始を指示する手段と、前記蓄積の終了の前に前記蓄積部に蓄積された映像データの再生の開始を指示する手段と、前記付加情報がコピー不許可の情報を持つ場合、前記蓄積の終了の情報が入力された直後に前記蓄積部の映像データを消去する手段とを有することを特徴とするデータ記録再生装置。
【請求項４】
前記蓄積部の映像データを消去する手段は、前記付加情報がコピー不許可の情報を持つ場合に、前記蓄積部の再生された映像データを再生直後に前記蓄積部から消去する手段と、前記付加情報がコピー不許可の情報を持ち、かつ前記蓄積の終了の前に再生が開始されなかった場合又は前記蓄積の終了時に映像データの再生が行われていない場合に、前記蓄積部の映像データを消去する手段とを含むことを特徴とする請求項３記載のデータ記録再生装置。
【請求項５】
アナログ映像データとこの映像データのコピーを制御するための付加情報とを含む入力データを処理する処理ステップを含むデータ処理方法であって、
前記処理ステップは、コピー不許可の情報を持つ付加情報が入力された場合に、入力された映像データを蓄積することが可能な蓄積部への前記映像データの蓄積の開始を指示するステップを含むと共に、前記蓄積の終了の前に前記蓄積部に記憶された映像データの再生の開始を指示し、再生された前記映像データを再生直後に前記蓄積部から消去するステップ、又は前記蓄積の終了の前に再生が開始されなかった場合及び前記蓄積の終了時に映像データの再生が行われていない場合に、前記蓄積部の映像データを消去するステップを含むことを特徴とするデータ処理方法。
【請求項６】
アナログ映像データとこの映像データのコピーを制御するための付加情報とを含む入力データを処理する処理ステップを含むデータ処理方法であって、
前記処理ステップは、前記付加情報の内容とは無関係に、入力された映像データを蓄積することが可能な蓄積部への前記映像データの蓄積の開始を指示するステップを含むと共に、前記蓄積の終了の前に前記蓄積部に記憶された映像データの再生の開始を指示し、前記付加情報がコピー不許可の情報を持つ場合に、再生された前記映像データを再生直後に前記蓄積部から消去するステップ、又は前記付加情報がコピー不許可の情報を持ち、かつ前記蓄積の終了の前に再生が開始されなかった場合又は前記蓄積の終了時に映像データの再生が行われていない場合に、前記蓄積部の映像データを消去するステップを含むことを特徴とするデータ処理方法。
【請求項７】
コンピュータにより動作可能であり、アナログ映像データのコピーを制御するための付加情報を含むデータを処理するプログラムであって、
コピー不許可の情報を持つ付加情報が入力された場合に、前記映像データの蓄積の開始を指示する機能と、前記蓄積の終了の前に、蓄積された映像データの再生の開始を指示する機能と、前記蓄積の終了の情報が入力された直後に、蓄積された映像データを消去する機能とを有することを特徴とするプログラム。
【請求項８】
コンピュータにより動作可能であり、アナログ映像データとこの映像データのコピーを制御するための付加情報とを含むデータを処理するプログラムであって、
前記付加情報の内容とは無関係に前記映像データの蓄積の開始を指示する機能と、前記蓄積の終了の前に、蓄積された映像データの再生の開始を指示する機能と、前記付加情報がコピー不許可の情報を持つ場合、前記蓄積の終了の情報が入力された直後に、蓄積された映像データを消去する機能とを有することを特徴とするプログラム。
【発明の詳細な説明】
【０００１】
【発明の属する技術分野】
本発明は、アナログ映像信号にコピー制御情報が付加された入力データを処理する処理部を備えたデータ記録再生装置並びにこれに関連するデータ処理方法及びプログラムに係り、特に、データの蓄積と再生とを同時に行うことが可能なデータ記録再生装置、データ処理方法及びプログラムに関する。
【０００２】
【従来の技術】
近年、放送中（オンエア）のテレビ番組の視聴を一時停止したのち再開したり、放送中のテレビ番組の記録をしながら任意の時間に番組を最初から再生する所謂時間差再生の要求が高まっている。そして、ハードディスク装置などのランダムアクセス可能な記録媒体を備え、上記時間差再生が可能であるデータ記録再生装置が普及しつつある。
【０００３】
一般に、デジタル放送のような映像音声が含まれるデジタルコンテンツをデジタルのまま記録する記録再生装置では、時間差再生される場合には、装置の処理部の記録媒体に当該信号を例えば１か月又は1日のみ蓄積可能であるという時間差情報と、ＣＧＭＳ（Copy Generation Management System）−Ｇデータ等のコピー制御情報とがデジタル入力信号に付加され、上記処理部では、これら時間差情報及びコピー制御情報の両方に従って信号処理されるようになっている。一方、アナログ映像音声信号がデータ記録再生装置に入力され、時間差再生される場合、アナログ信号には、上述したような時間差情報は付加されておらず、マクロビジョン信号，ＣＧＭＳ−Ａデータ等のコピー制御情報のみが付加されており、処理部では、コピー制御情報に従って信号処理されるようになっている。
【０００４】
現在市販されているデータ記録再生装置では、デジタル信号の処理を行う場合であっても、アナログ信号の処理を行う場合であっても、映像音声入力信号にコピー許可の情報を持つコピー制御情報が付加されている場合にのみ記録再生を行うことができるようにされている。これに対し、入力される映像音声信号にコピー不許可の情報を持つコピー制御情報が付加されている場合においても時間差再生を実現することが強く望まれている。
【０００５】
そこで、デジタル信号がデータ記録再生装置に入力される際、コピー不許可のコピー制御情報が付加されている映像音声信号が入力された場合であっても、「コピー不許可」という番組供給者の意図を反映し、かつテレビ番組の放送時よりも後の時刻に当該番組を視聴することができる装置が提案されている（例えば、特許文献１及び２参照）。
【０００６】
【特許文献１】
国際公開ＷＯ９９／４６９３３号パンフレット
【特許文献２】
特開２００１−２４５２２３公報
【０００７】
【発明が解決しようとする課題】
しかしながら、上述したように、デジタルのまま記録する場合とアナログ入力信号が記録される場合とでは、付加されている情報が異なるため、処理方法が異なり、アナログ信号の処理には上記文献に提案されているような装置を適用することができないという問題がある。従って、入力されるアナログ映像音声信号にコピー不許可の情報が付加されている場合においても時間差再生を実現することが、依然として強く望まれている。
【０００８】
本発明はかかる問題点に鑑みてなされたもので、その目的は、処理部に入力されるアナログ映像音声信号にコピー不許可の情報が付加されている場合に、「コピー不許可」という番組供給者の意図を反映し、かつ上記時間差再生を行うことが可能なデータ記録再生装置、データ処理方法及びプログラムを提供することにある。
【０００９】
【課題を解決するための手段】
本発明によるデータ記録再生装置は、アナログ映像データとこの映像データのコピーを制御するための付加情報とを含むデータが入力され、このデータを処理する処理部を備えたデータ記録再生装置であって、処理部が、入力された映像データを蓄積することが可能な蓄積部を有すると共に、コピー不許可の情報を持つ付加情報が入力された場合に、蓄積部への映像データの蓄積の開始を指示する手段と、蓄積の終了の前に蓄積部に蓄積された映像データの再生の開始を指示する手段と、蓄積の終了の情報が入力された直後に蓄積部の映像データを消去する手段とを有することを特徴としている。
【００１０】
本発明によるデータ記録再生装置では、コピー不許可の情報を持つ付加情報が入力された場合に、蓄積部への映像データの蓄積の開始を指示する手段と、蓄積の終了の前に蓄積部に蓄積された映像データの再生の開始を指示する手段とが設けられているので、処理部にコピー不許可の情報を持つ付加情報が入力された場合に、映像データの蓄積と再生とを同時に行うことが可能である。また、蓄積の終了の情報が入力された直後に蓄積部の映像データを消去する手段を有しているので、蓄積された映像データがコピーされることが阻止され、「コピー不許可」の条件が満たされる。よって、入力されるアナログ映像信号にコピー不許可の情報が付加されている場合に、「コピー不許可」という番組供給者の意図を反映しつつ、時間差再生が行われる。
【００１１】
上記蓄積部の映像データを消去する手段は、蓄積部の再生された映像データを再生直後に蓄積部から消去する手段と、蓄積の終了の前に再生が開始されなかった場合及び蓄積の終了時に映像データの再生が行われていない場合に、蓄積部の映像データを消去する手段とを含んでいることが好ましい。蓄積部の再生された映像データを再生直後に蓄積部から消去する手段により、時間差再生時に上記番組供給者の意図が反映されると共に、蓄積部の映像データを消去する手段により、映像データの蓄積のみが行われ、時間差再生が行われない場合についても番組供給者の意図が反映されるからである。
【００１２】
本発明による他のデータ記録再生装置は、アナログ映像データとこの映像データのコピーを制御するための付加情報とを含むデータが入力され、このデータを処理する処理部を備えたデータ記録再生装置であって、処理部が、入力された映像データを蓄積することが可能な蓄積部を有すると共に、付加情報の内容とは無関係に蓄積部への映像データの蓄積の開始を指示する手段と、蓄積の終了の前に蓄積部に蓄積された映像データの再生の開始を指示する手段と、付加情報がコピー不許可の情報を持つ場合、蓄積の終了の情報が入力された直後に蓄積部の映像データを消去する手段とを有することを特徴としている。
【００１３】
本発明による他のデータ記録再生装置では、処理部が、付加情報の内容とは無関係に蓄積部への映像データの蓄積の開始を指示する手段と、蓄積の終了の前に蓄積部に蓄積された映像データの再生の開始を指示する手段とを有しているので、付加情報の内容とは無関係に、映像データの蓄積と再生とを同時に行うことが可能である。また、付加情報がコピー不許可の情報を持つ場合、蓄積の終了の情報が入力された直後に蓄積部の映像データを消去する手段を有しているので、付加情報がコピー不許可の情報を持つ場合に蓄積された映像データがコピーされることが阻止され、「コピー不許可」の条件が満たされる。よって、入力されるアナログ映像信号にコピー不許可の情報が付加されている場合に、「コピー不許可」という番組供給者の意図を反映し、時間差再生が行われ得る。
【００１４】
上記蓄積部の映像データを消去する手段は、付加情報がコピー不許可の情報を持つ場合に、蓄積部の再生された映像データを再生直後に蓄積部から消去する手段と、付加情報がコピー不許可の情報を持ち、かつ蓄積の終了の前に再生が開始されなかった場合又は蓄積の終了時に映像データの再生が行われていない場合に、蓄積部の映像データを消去する手段とを含んでいることが好ましい。これにより、時間差再生時に上記番組供給者の意図が反映されると共に、時間差再生が行われない場合についても番組供給者の意図が反映される。
【００１５】
本発明によるデータ処理方法は、アナログ映像データとこの映像データのコピーを制御するための付加情報とを含む入力データを処理する処理ステップを含むデータ処理方法であって、処理ステップが、コピー不許可の情報を持つ付加情報が入力された場合に、入力された映像データを蓄積することが可能な蓄積部への映像データの蓄積の開始を指示するステップを含むと共に、蓄積の終了の前に蓄積部に記憶された映像データの再生の開始を指示し、再生された映像データを再生直後に蓄積部から消去するステップ、又は蓄積の終了の前に再生が開始されなかった場合及び蓄積の終了時に映像データの再生が行われていない場合に、蓄積部の映像データを消去するステップを含むことを特徴としている。
【００１６】
本発明によるデータ処理方法では、コピー不許可の情報を持つ付加情報が入力された場合に、蓄積部への映像データの蓄積の開始が指示されたのち、蓄積の終了の前に蓄積部に記憶された映像データの再生の開始が指示された場合には，再生された映像データが再生直後に蓄積部から消去される。また、映像データの蓄積の開始が指示されたのち、蓄積の終了の前に再生が開始されなかった場合及び蓄積の終了時に映像データの再生が行われていない場合には、蓄積部の映像データが消去される。よって、入力されるアナログ映像信号にコピー不許可の情報が付加されている場合に時間差再生が行われ得ると共に、時間差再生が行われるか否かに関わらず、「コピー不許可」という番組供給者の意図が反映される。
【００１７】
本発明による他のデータ処理方法は、アナログ映像データとこの映像データのコピーを制御するための付加情報とを含む入力データを処理する処理ステップを含むデータ処理方法であって、処理ステップが、付加情報の内容とは無関係に、入力された映像データを蓄積することが可能な蓄積部への映像データの蓄積の開始を指示するステップを含むと共に、蓄積の終了の前に蓄積部に記憶された映像データの再生の開始を指示し、付加情報がコピー不許可の情報を持つ場合に、再生された映像データを再生直後に蓄積部から消去するステップ、又は付加情報がコピー不許可の情報を持ち、かつ蓄積の終了の前に再生が開始されなかった場合又は蓄積の終了時に映像データの再生が行われていない場合に、蓄積部の映像データを消去するステップを含むことを特徴としている。
【００１８】
本発明による他のデータ処理方法では、付加情報の内容とは無関係に、蓄積部への映像データの蓄積の開始が指示されたのち、蓄積の終了の前に蓄積部に記憶された映像データの再生の開始が指示された場合には、付加情報がコピー不許可の情報を持っていると、再生された映像データが再生直後に蓄積部から消去される。また、蓄積部への映像データの蓄積の開始が指示されたのち、付加情報がコピー不許可の情報を持っており、かつ蓄積の終了の前に再生が開始されなかった場合又は蓄積の終了時に映像データの再生が行われていない場合には、蓄積部の映像データが消去される。よって、入力されるアナログ映像信号に付加されたコピー制御情報の内容に関わらず時間差再生が行われ得ると共に、時間差再生が行われるか否かに関わらず、「コピー不許可」という番組供給者の意図が反映される。
【００１９】
本発明によるプログラムは、コンピュータにより動作可能であり、アナログ映像データのコピーを制御するための付加情報を含むデータを処理するプログラムであって、コピー不許可の情報を持つ付加情報が入力された場合に、映像データの蓄積の開始を指示する機能と、蓄積の終了の前に、蓄積された映像データの再生の開始を指示する機能と、蓄積の終了の情報が入力された直後に、蓄積された映像データを消去する機能とを有することを特徴としている。
【００２０】
本発明による他のプログラムは、コンピュータにより動作可能であり、アナログ映像データとこの映像データのコピーを制御するための付加情報とを含むデータを処理するプログラムであって、付加情報の内容とは無関係に前記映像データの蓄積の開始を指示する機能と、蓄積の終了の前に、蓄積された映像データの再生の開始を指示する機能と、付加情報がコピー不許可の情報を持つ場合、蓄積の終了の情報が入力された直後に、蓄積された映像データを消去する機能とを有することを特徴としている。
【００２１】
【発明の実施の形態】
以下、本発明の実施の形態について図面を参照して詳細に説明する。
【００２２】
まず、図１を参照して、本発明の一実施の形態に係るデータ記録再生装置の構成について説明する。
【００２３】
本実施の形態に係るデータ記録再生装置は、アナログ映像データとこの映像データのコピーを制御するための付加情報とを含むデータが入力され、このデータを処理する処理部を備えている。また、映像データの蓄積と再生とを同時に行うことが可能であり、通常の記録モード，再生モード及びデータを一時的に記憶する一時記憶モードの３つの動作モードにおいて動作可能である。このようなデータ記録再生装置としては、例えば、ＨＤＤ（hard disk drive）のようなデジタル記録が可能な記録媒体を備えたテレビ受像機が挙げられる。なお、ここでは、ＣＧＭＳデータが付加されると共に必要に応じてマクロビジョン信号が付加されたアナログ（ＮＴＳＣ）映像音声信号ＳＡＶｉｎを含むデータが入力される場合について説明する。ちなみに、上記ＣＧＭＳデータは、データ記録再生装置が受け取った映像信号のコピーの許可，不許可を判断するために用いるものである。また、上記マクロビジョン信号は、映像信号が正常に記録されないようにするものである。
【００２４】
図１は、上記処理部１０の機能構成を表すブロック図である。処理部１０は、入力されたアナログ映像音声信号ＳＡＶｉｎの映像信号ＳＶｉｎをデジタル変換する映像ＡＤ変換部１１と、デジタル変換された映像データから輝度（Ｙ）信号成分と色（Ｃ）信号成分とを分離するＹ／Ｃ分離部１２と、輝度信号及び色信号を用いて色復調などの処理を行い、色差信号を生成すると共に、ＣＧＭＳデータ及びマクロビジョン信号が付加されているべき部分（以下、マクロビジョン信号付加部分という。）を抽出する映像データ処理部１３と、入力されたアナログ映像音声信号ＳＡＶｉｎの音声信号ＳＡｉｎをデジタル変換する音声ＡＤ変換部２１と、デジタル変換された音声データをフォーマット化する音声処理部２２と、映像データ処理部１３において生成された色差信号及び音声処理部２２において処理された音声データが供給されるデータリンク部１４と、上記記録モード又は一時記憶モード時に映像データ及び音声データを蓄積するデータ蓄積部１５とを備えている。
【００２５】
データ蓄積部１５は、一時記憶モードの際、再生された映像データを再生直後に蓄積部１５から消去する再生データ消去手段と、一時記憶モードの際、蓄積の終了の前に再生が開始されなかった場合及び蓄積の終了時に映像データの再生が行われていない場合に、蓄積部１５の映像データを消去する蓄積データ消去手段とを有している。上記再生データ消去手段は、当該番組の再生データの再生終了直後に、一括して消去するように設けられてもよいし、再生と同時に再生されたデータを順次消去するように設けられてもよい。
【００２６】
処理部１０は、また、映像データ処理部１３において抽出されたマクロビジョン信号付加部分が入力され、マクロビジョン信号の有無等を検出するマクロビジョン検出部３１と、映像データ処理部１３において抽出されたＣＧＭＳデータが入力され、このＣＧＭＳデータを解読するＣＧＭＳデコード部３２と、ＣＧＭＳデコード部３２からＣＧＭＳデータが供給される制御部３３とを備えている。なお、制御部３３に供給されるＣＧＭＳデータは、コピーフリー，１世代のみコピー可，これ以上はコピー不可，コピー不可のいずれかを示すものである。
【００２７】
制御部３３は、上述した装置の動作モード及び供給されたＣＧＭＳデータに応じて、データリンク部１４のデータの蓄積部１５への蓄積を開始するようデータリンク部１４に指示する蓄積開始指示手段と、蓄積が終了する前に、蓄積部１５に蓄積された映像データの再生の開始を指示する再生開始指示手段とを有している。この制御部３３は、また、一時記憶モードの際、再生された映像データを再生直後に蓄積部１５から消去するよう蓄積部１５に指示する再生データ消去指示手段と、一時記憶モードの際、蓄積の終了の前に再生が開始されなかった場合及び蓄積の終了時に映像データの再生が行われていない場合に、蓄積部１５の映像データの消去を指示する蓄積データ消去指示手段とを有している。
【００２８】
処理部１０は、更に、上記色差信号からＲＧＢ信号を生成する映像再生処理部１６と、生成されたＲＧＢ信号にマクロビジョン信号の情報を付加するコピー制御データ付加部１７と、ＲＧＢ信号をアナログ変換し、アナログ映像出力信号ＳＶｏｕｔを生成する映像ＤＡ変換部１８と、上記フォーマット化された音声データを処理する音声再生処理部２３と、この音声データをアナログ変換し、アナログ音声出力信号ＳＡｏｕｔを生成する音声ＤＡ変換部２４とを備えている。
【００２９】
次に、図２ないし図４を参照して、本実施の形態のデータ記録再生装置における一時記憶モードについて説明する。なお、以下の説明は、本実施の形態に係るデータ処理方法の説明を兼ねている。
【００３０】
図２（Ａ），（Ｂ），（Ｃ）は、放送中のテレビ番組の視聴を一時停止したのち再開するタイプの一時記憶モードにおけるリアルタイムの番組放送と、ユーザの番組の視聴、すなわちデータ記録再生装置におけるデータ（番組）の再生と、データ記録再生装置（蓄積部１５）へのデータの蓄積との関係を表すものである。図２（Ａ）は放送中のテレビ番組の視聴を１回停止した場合、図２（Ｂ），（Ｃ）は３回停止した場合の各関係をそれぞれ示している。また、図２（Ａ），（Ｂ）は蓄積されたデータを全て再生する場合について示したものであり、図２（Ｃ）は蓄積されたデータの一部を再生する場合について示したものである。
【００３１】
これらのタイプの一次記憶モードの場合、リアルタイムの番組放送の開始と同時に、データ記録再生装置はデータの再生を開始し、ユーザが再生の一時停止及び蓄積開始を装置に対して指定すると、装置はデータの再生を一時停止し、同時にデータの蓄積を開始する。そののち、ユーザが再生の再開を指定すると、装置はデータの再生を再開し、データの蓄積及び再生の両方を行う。なお、図２（Ｂ），（Ｃ）に示したタイプの場合には、このような蓄積のみの実行と蓄積及び再生の両方の実行とを繰り返す。そののち、リアルタイムの番組放送の終了と同時に、装置は蓄積を終了し、図２（Ａ），（Ｂ）に示したタイプの場合には、再生のみを行うようになる。また、図２（Ｃ）に示したタイプの場合には、蓄積の終了時に再生が行われていないので、蓄積が終了したのち、蓄積されたデータの未再生の部分は、蓄積部１５の蓄積データ消去手段により消去され、再生することができない。
【００３２】
図３は、放送中のテレビ番組の記録をしながら番組を最初から再生するタイプの一時記憶モードにおけるリアルタイムの番組放送と、データ記録再生装置におけるデータ（番組）の再生と、データ記録再生装置（蓄積部１５）へのデータの蓄積との関係を表すものである。このタイプの一次記憶モードの場合、リアルタイムの番組放送の開始と同時に、データ記録再生装置はデータの蓄積を開始し、ユーザが装置に対して再生の開始を指定すると、装置はデータの再生を開始し、データの蓄積及び再生の両方を行う。そののち、リアルタイムの番組放送の終了と同時に、装置は蓄積を終了し、再生のみを行うようになる。
【００３３】
図４は、一次記憶モードの場合の処理部１０における処理を示す流れ図である。リアルタイムの番組放送及びデータの再生の開始からデータの再生が一時停止されるまでの間（図２の区間Ａ）は、通常の再生モードと同様であり、処理部１０は、通常の再生処理を行う。すなわち、入力映像信号ＳＶｉｎに付加されていたＣＧＭＳデータが制御部３３に入力され（図４のステップＳ１０１）、制御部３３は、映像データ，音声データ及びＣＧＭＳデータをデータリンク部１４から映像再生処理部１６又は音声再生処理部２３にそれぞれ出力するようデータリンク部１４に命令する。
【００３４】
再生が一時停止されたデータの再生は、データの蓄積中（すなわち、蓄積が終了する前）に限って再開され得る。データの再生の一時停止から再開までの間（図２，図３の区間Ｂ）は、処理部１０は蓄積処理を行う。すなわち、ＣＧＭＳデータが制御部３３に入力されている状態（図４のステップＳ１０１）においてユーザが再生の一時停止及び蓄積開始を装置に対して指定すると、制御部３３（具体的には蓄積開始指示手段）は、この指定に基づいて、蓄積（一時記憶）を開始する指示をデータリンク部１４に与える（ステップＳ１０２）。これにより、データリンク部１４のデータが蓄積部１５に出力される（ステップＳ１０３）。
【００３５】
データリンク部１４のデータが蓄積部１５に出力される（ステップＳ１０３）と、制御部３３は、蓄積終了の情報が入力された否かを判断する（ステップＳ１０４）。蓄積終了の情報としては、例えば、リアルタイムの番組放送の終了情報、及びユーザによる蓄積終了の指定が挙げられる。蓄積終了の情報が入力された場合（ステップＳ１０４；Ｙ）には、制御部３３は、入力されたＣＧＭＳデータがコピー許可の情報及びコピー不許可の情報のいずれを持っているかを判断する（ステップＳ１０５）。入力ＣＧＭＳデータがコピー不許可の情報を持っている場合（ステップＳ１０５；Ｙ）には、制御部３３（具体的には蓄積データ消去指示手段）は、蓄積部１５のデータを消去する指示を蓄積部１５に与え、蓄積部１５は、この指示に基づいて、データを消去する（ステップＳ１０６）。このように、入力ＣＧＭＳデータがコピー不許可の情報を持っている場合、蓄積の完了前にデータの再生が開始されないと、蓄積部１５のデータは消去される。
【００３６】
また、入力ＣＧＭＳデータがコピー許可の情報を持っている場合（ステップＳ１０５；Ｎ）には、蓄積部１５に出力されたデータは、蓄積部１５から消去する必要がないため、その再生に制限を課す必要もなく、ユーザによる再生開始の指定を待つ等ＣＧＭＳデータがコピー許可の場合の処理へ移行する（ステップＳ１０７）。一方、蓄積終了の情報が入力されていない場合（ステップＳ１０４；Ｎ）には、データリンク部１４のデータが蓄積部１５に出力され続ける（ステップＳ１０３）。
【００３７】
データリンク部１４のデータが蓄積部１５に出力される（ステップＳ１０３）と、また、制御部３３は、ユーザにより再生開始の指定がなされたか否かを判断する（ステップＳ１０８）。再生開始の指定がなされた場合（ステップＳ１０８；Ｙ）、制御部３３（具体的には再生開始指示手段）は、蓄積部１５に蓄積されたデータの再生を開始（再開）する指示を蓄積部１５に与える（ステップＳ１０９）。蓄積部１５は、この指示に基づいて、映像データ及びＣＧＭＳデータを映像再生処理部１６に、音声データを音声再生処理部２３にそれぞれ供給し（ステップＳ１１０）、これによりデータの再生が再開される。これ以後、データの再生の再開からリアルタイムの放送の終了までの間（図２（Ａ），（Ｂ）及び図３の区間Ｃ）及びデータの再生の再開から一時停止までの間（図２（Ｂ），（Ｃ）の区間Ｃ′）は、処理部１０では蓄積処理と再生処理とが行われる。また、再生開始の指定がなされていない場合（ステップＳ１０８；Ｎ）は、データリンク部１４のデータが蓄積部１５に出力され続ける（ステップＳ１０３）。
【００３８】
蓄積部１５がデータを上述したように供給している状態（図４のステップＳ１１０）において、制御部３３は、ユーザにより再生終了の指定がなされたか否かを判断する（ステップＳ１１１）。再生終了の指定がなされた場合（ステップＳ１１１；Ｙ）には、制御部３３は、蓄積部１５に蓄積されたデータの再生を終了する指示を蓄積部１５に与え、蓄積部１５は、この指示に基づいて、映像データ，音声データＣＧＭＳデータの供給を終了する。これにより、処理部１０は蓄積処理のみを行うようになり、上述した図２の区間Ｂの状態に戻る。一方、再生終了の指定がなされていない場合（ステップＳ１１１；Ｎ）には、蓄積部１５において上述したようにデータが供給し続けられる（ステップＳ１１０）。
【００３９】
蓄積部１５がデータを供給している状態（ステップＳ１１０）では、また、制御部３３は、蓄積終了の情報が入力された否かを判断する（ステップＳ１１２）。蓄積終了の情報が入力された場合（ステップＳ１１２；Ｙ）には、データの再生のみが行われるようになる（図２（Ａ），（Ｂ）及び図３の区間Ｄ）。この場合、制御部３３は、入力されたＣＧＭＳデータがコピー許可の情報及びコピー不許可の情報のいずれを持っているかを判断する（ステップＳ１１３）。入力ＣＧＭＳデータがコピー不許可の情報を持っている場合（図４のステップＳ１１３；Ｙ）には、制御部３３（具体的には再生データ消去指示手段）は、再生したデータを再生直後に蓄積部１５から消去する指示を蓄積部１５に与え、蓄積部１５は、この指示に基づいて、上記データを所定の場所へ供給し、供給した直後に蓄積部１５から消去する（ステップＳ１１４）。すなわち、入力ＣＧＭＳデータがコピー不許可の情報を持っている場合、蓄積部１５に蓄積されたデータは、データの再生直後に蓄積部１５から消去される。
【００４０】
また、入力ＣＧＭＳデータがコピー許可の情報を持っている場合（ステップＳ１１３；Ｎ）には、蓄積部１５に出力されたデータを蓄積部１５から消去する必要がないため、その再生に制限を課す必要もなく、ＣＧＭＳデータがコピー許可の場合の処理へ移行する（ステップＳ１１５）。一方、蓄積終了の情報が入力されていない場合（ステップＳ１１２；Ｎ）には、蓄積部１５からデータが供給され続ける（ステップＳ１１０）。
【００４１】
なお、図４には示していないが、図３のタイプのように、蓄積の終了時に再生が行われておらず、蓄積されたデータに未再生の部分が存在する場合は、制御部３３（具体的には蓄積データ消去指示手段）は、上記未再生部分を消去する指示を蓄積部１５に与え、蓄積部１５は、この指示に基づいて、データを消去する。すなわち、入力ＣＧＭＳデータがコピー不許可の情報を持っている場合、データの蓄積終了時にデータの再生が行われていないと、蓄積部１５の未再生データは消去される。
【００４２】
次に、上述した構成を有するデータ記録再生装置の動作について説明する。
【００４３】
ＣＧＭＳデータが付加されると共に必要に応じてマクロビジョン信号が付加されたアナログ映像音声信号ＳＡＶｉｎが入力されると、映像信号ＳＶｉｎ及び音声信号ＳＡｉｎが抽出される。抽出された音声信号ＳＡｉｎは、音声ＡＤ変換部２１においてデジタル変換され、音声処理部２２においてフォーマット化される。一方、抽出された映像信号ＳＶｉｎは、映像ＡＤ変換部１１においてデジタル変換され、Ｙ／Ｃ分離部１２において輝度信号成分と色信号成分とに分離され、映像データ処理部１３において所定の処理が施され、色差信号とされ、データリンク部１４に伝送される。また、映像データ処理部１３において、ＣＧＭＳデータ及びマクロビジョン信号付加部分が抽出され、ＣＧＭＳデータはＣＧＭＳデコード部３２、マクロビジョン信号付加部分はマクロビジョン検出部３１にそれぞれ供給される。ＣＧＭＳデコード部３２では、ＣＧＭＳデータの解読が行われ、解読されたデータは制御部３３に供給される。マクロビジョン検出部３１では、マクロビジョン信号が付加されているか否か等の検出が行われる。
【００４４】
そののち、記録モードの場合には、制御部３３のＣＧＭＳデータに基づいて、データリンク部１４のデータを蓄積部１５に出力するようデータリンク部１４に命令する。命令が伝送されると、ＣＧＭＳデータがデータリンク部１４に供給され、上記命令に応答して、映像データ，音声データ及びＣＧＭＳ情報がデータリンク部１４からデータ蓄積部１５に出力される。
【００４５】
このように記録モードで蓄積部１５に蓄積された映像データ及び音声データを読み出して再生（読み出し再生）する場合には、読み出し再生の指示がなされると、映像データ，音声データ及びＣＧＭＳデータがデータ蓄積部１５からデータリンク部１４に供給される。これらのうち、音声データは、音声再生処理部２３において処理されたのち、音声ＤＡ変換部２４においてアナログ変換され、これにより、アナログ音声出力信号ＳＡｏｕｔが生成される。一方、映像データは、映像再生処理部１６においてＲＧＢ信号とされ、コピー制御データ付加部１７に供給される。ＣＧＭＳデータは、また、制御部３３にも供給され、ＣＧＭＳデータからマクロビジョン信号の情報が復元され、復元されたマクロビジョン信号の情報はコピー制御データ付加部１７に伝送される。コピー制御データ付加部１７では、映像データにマクロビジョン信号の情報が付加され、映像データ，ＣＧＭＳデータ及びマクロビジョン信号の情報は映像ＤＡ変換部１８に供給される。映像ＤＡ変換部１８において、映像データがアナログ変換され、これにより、ＣＧＭＳデータ及びマクロビジョン信号の情報が付加されたアナログ映像出力信号ＳＶｏｕｔが生成され、上述したアナログ音声出力信号ＳＡｏｕｔと共に処理部１０から出力される。
【００４６】
また、入力アナログ映像信号ＳＶｉｎが直接再生されるモードの場合には、制御部３３のＣＧＭＳデータに基づいて、データリンク部１４のデータを映像再生処理部１６又は音声再生処理部２３に出力するようデータリンク部１４に命令する。命令が伝送されると、ＣＧＭＳデータがデータリンク部１４に供給され、上記命令に応答して、映像データ及びＣＧＭＳ情報，音声データがデータリンク部１４から映像再生処理部１６又は音声再生処理部２３にそれぞれ出力される。これ以後の動作は、マクロビジョン信号の検出結果がマクロビジョン検出部３１からコピー制御データ付加部１７に伝送されることを除き、他は上述した読み出し再生モードの場合と同様である。
【００４７】
なお、一時記憶モードの場合については、既に詳述した通りである。
【００４８】
このように本実施の形態によれば、蓄積部１５へのデータの蓄積を開始したのち、蓄積の終了の前に蓄積部に記憶されたデータの再生の開始が指示された場合に、コピー不許可の情報を持つコピー制御情報が付加されているときには、再生されたデータを再生直後に蓄積部から消去するようにしたので、コピー制御情報の内容とは無関係に、すなわち、コピー不許可の情報を持つ付加情報が入力された場合であっても、蓄積部１５に蓄積されたデータがコピーされることなく、時間差再生が行うことができる。また、蓄積の終了の前に再生が開始されなかった場合及び蓄積の終了時にデータの再生が行われていない場合に、蓄積部１５に蓄積された未再生のデータを消去するようにしたので、コピー制御情報の内容とは無関係に、すなわち、コピー不許可の情報を持つ付加情報が入力された場合であっても、蓄積部１５に蓄積されたデータがコピーされることを阻止することができる。よって、コピー制御情報の内容とは無関係に、すなわち、コピー不許可の情報を持つ付加情報が入力された場合であっても時間差再生を行うことができ、時間差再生が行われるか否かに関わらず、「コピー不許可」という番組供給者の要求を満たすことができる。
【００４９】
以上、実施の形態を挙げて本発明を説明したが、本発明は上記実施の形態に限定されるものではなく、種々変形可能である。例えば、上記実施の形態では、入力データの処理をデータ記録再生装置として説明したが、このデータ処理はソフトウェアとして構成するようにしてもよい。例えば、本発明に係るデータ処理プログラムをＲＯＭ（Read Only Memory）に格納し、そのプログラムにしたがってＣＰＵ(Central Processing Unit)の指示により動作させるように構成しても良い。また、このプログラムをコンピュータで読み取り可能な記憶媒体に格納し、この記憶媒体のデータ処理プログラムをコンピュータのＲＡＭ（Random Access Memory）に記録して、データ処理プログラムにしたがって動作させるようにしても良い。このような場合においても、上記実施の形態と同様の作用、効果を呈する。
【００５０】
また、上記実施の形態では、ＣＧＭＳデータとマクロビジョン信号とがアナログ入力信号に付加されて入力され、これらをＣＧＭＳデコーダ及びマクロビジョン検出部において処理する場合について説明したが、アナログ入力信号に付加される付加情報はこれらのうちのいずれか一方であってもよく、これら以外の付加情報であってもよい。また、処理部１０も、必ずしも複数の付加情報を検出する機構を備えている必要はなく、適宜の検出機構を備えていればよい。
【００５１】
【発明の効果】
以上説明したように本発明によれば、付加情報の内容とは無関係に蓄積部への映像データの蓄積の開始が指示され、蓄積の終了の前に蓄積部に蓄積された映像データの再生の開始が指示され得るように構成すると共に、蓄積の終了の情報が入力された直後に蓄積部の映像データが消去されるように構成したので、アナログ入力信号にコピー不許可の情報が付加されている場合に、時間差再生を行うことができ、かつコピー不許可の条件を満たすことができるという効果を奏する。
【図面の簡単な説明】
【図１】本発明の一実施の形態に係るデータ記録再生装置の処理部の機能構成を表すブロック図である。
【図２】図１に示したデータ処理装置の動作を説明するための説明図である。
【図３】図１に示したデータ処理装置の動作を説明するための他の説明図である。
【図４】図１に示したデータ処理装置の動作を説明するための流れ図である。
【符号の説明】
１０…処理部、１５…蓄積部、３３…制御部
【図１】
2004214711.tif 000003
【図２】
2004214711.tif 000004
【図３】
2004214711.tif 000005
【図４】
2004214711.tif 000006